(57)【要約】【課題】座部体に収容されたマッサージユニットをソファーの外観を損なうことなく使い易くしたソファーを提供することにある。【解決手段】ベースの前後方向後端に立設された背部体６と、ベースの前後方向に沿って所定の範囲内で移動可能に設けられた座部フレーム７と、ベースの前後方向中途部に立設された支持体と、支持体に前後方向の中途部が回動可能に連結されて設けられ座部フレームがベースの前後方向の後退位置にあるときには座部フレームの上面に水平な状態で支持され座部フレームが前進位置にあるときには支持体との連結部を支点として回動させることで背部体の前面と座部フレームの後端との間にほぼ垂直な状態で入り込む座部体１６と、座部フレーム内に設けられ座部フレームの前後方向と交差する幅方向に沿って往復駆動されるマッサージローラを有するマッサージユニット２を具備する。【選択図】      図３
2008104731.tif 000002
【特許請求の範囲】
【請求項１】
複数の利用者が並んで着座可能なソファーであって、
ベースと、
このベースの前後方向後端に立設された背部体と、
この背部体の前面側に上記ベースの前後方向に沿って所定の範囲内で移動可能に設けられた座部フレームと、
上記ベースの前後方向中途部に立設された支持体と、
この支持体に前後方向の中途部が回動可能に連結されて設けられ上記座部フレームが上記ベースの前後方向の後退位置にあるときにはこの座部フレームの上面に水平な状態で支持され上記座部フレームが前進位置にあるときには上記支持体との連結部を支点として回動させることで上記背部体の前面と上記座部フレームの後端との間にほぼ垂直な状態で入り込む座部体と、
上記座部フレーム内に設けられたマッサージユニットと
を具備したことを特徴とするソファー。
【請求項２】
上記座部体の幅方向の両端部には肘掛け体が設けられ、上記背部体は一対の肘掛け体の間に入り込む長さ寸法に設定されていることを特徴とする請求項１記載のソファー。
【請求項３】
上記マッサージユニットは、上記マッサージローラが走行可能に設けられた第１の起伏部と、この第１の起伏部に順次回動可能に連結された第２、第３の起伏部を有し、
上記第１の起伏部は起伏機構によって起伏駆動されるとともに、上記第２、第３の起伏部は上記第１の起伏部の起上に連動して山形状に屈曲されることを特徴とする請求項１記載のソファー。
【請求項４】
上記支持体は、上記座部フレームの内部に位置するとともに上記ベースの幅方向の両端部に少なくとも上端部が後方に向かって傾斜して立設されていて、
上記座部フレームの後端側の幅方向の両端部には、上記座部フレームを前進方向に移動させたときに上記支持体の上記座部体が連結された上端部を上記座部フレームの内部から外部に突出させるスリットが形成されていることを特徴とする請求項１記載のソファー。
【発明の詳細な説明】
【技術分野】
【０００１】
この発明は複数の利用者が並んで腰掛けることができる長さを有するソファーに関する。
【背景技術】
【０００２】
一般にソファーは座部体と、この座部体の前後方向後端に設けられた背部体とから構成されており、利用者は通常、上記座部体に着座し、背部体に寄り掛って利用する。
【０００３】
たとえば、リビングルームなどに設置されるソファーとしては、複数の利用者が並んで腰掛けることができる長尺タイプが用いられることが多い。しかしながら、ソファーを単に利用者が腰掛けるために利用するだけでなく、他の用途にも利用できるようにすることで、その付加価値を高めることが要望されている。
【０００４】
特許文献１には座部体にマッサージユニットを設けることで、付加価値を高めるようにしたソファーが示されている。しかしながら、座部体にマッサージユニットを設けると、座部体に着座する利用者にマッサージユニットの硬さが伝わるため、クッション性能が大きく低下することになる。
【０００５】
そこで、特許文献１では、座部体を第１乃至第３の起伏部からなるマッサージユニットと、このマッサージユニットの上面に着脱自在に設けられた上部クッション体によって構成するようにしている。
【０００６】
そして、ソファーとして利用するときには上部クッション体をマッサージユニットの第１乃至第３の起伏部の上面に取り付けておくことで、マッサージユニットの硬さが利用者に伝わらないようにし、マッサージユニットを利用するときには上部クッション体を取り外すようにしている。
【特許文献１】特開２００４−３２１３８４号
【発明の開示】
【発明が解決しようとする課題】
【０００７】
しかしながら、座部体をマッサージユニットによって形成し、このマッサージユニットの上面に上部クッション体を設ける構成によると、座部体がマッサージユニットと上部クッション体との二重構造となるから、ソファーとして利用するときの外観が損なわれるということがある。
【０００８】
しかも、マッサージユニットとして利用するときには上部クッション体を取り外さなければならないから、その取り外しが煩わしいということがあったり、取り外した上部クッション体の置き場所を確保しなければならないなどのことがあるため、マッサージユニットを利用できるように変換するために多くの手間が掛かり、利用し難いということがある。
【０００９】
さらに、マッサージユニットのローラユニットが設けられている部分は他の部分に比べて凹凸が大きいから、ソファーとして利用するときにマッサージユニットの上面に上部クッション体を置くだけでは、利用者に上記ローラユニットの凹凸が伝わり易いということもある。
【００１０】
この発明は、外観や性能的には通常のソファーとほとんど変わることなく利用することができ、しかもマッサージユニットとして利用するときには利用可能な状態に容易に変換することができるようにしたソファーを提供することにある。
【課題を解決するための手段】
【００１１】
この発明は、複数の利用者が並んで着座可能なソファーであって、
ベースと、
このベースの前後方向後端に立設された背部体と、
この背部体の前面側に上記ベースの前後方向に沿って所定の範囲内で移動可能に設けられた座部フレームと、
上記ベースの前後方向中途部に立設された支持体と、
この支持体に前後方向の中途部が回動可能に連結されて設けられ上記座部フレームが上記ベースの前後方向の後退位置にあるときにはこの座部フレームの上面に水平な状態で支持され上記座部フレームが前進位置にあるときには上記支持体との連結部を支点として回動させることで上記背部体の前面と上記座部フレームの後端との間にほぼ垂直な状態で入り込む座部体と、
上記座部フレーム内に設けられたマッサージユニットと
を具備したことを特徴とするソファーにある。
【００１２】
上記座部体の幅方向の両端部には肘掛け体が設けられ、上記背部体は一対の肘掛け体の間に入り込む長さ寸法に設定されていることが好ましい。
【００１３】
上記マッサージユニットは、上記マッサージローラが走行可能に設けられた第１の起伏部と、この第１の起伏部に順次回動可能に連結された第２、第３の起伏部を有し、
上記第１のフレームは起伏機構によって起伏駆動されるとともに、上記第２、第３の起伏部は上記第１の起伏部の起上に連動して山形状に屈曲されることが好ましい。
【００１４】
上記支持体は、上記座部フレームの内部に位置するとともに上記ベースの幅方向の両端部に少なくとも上端部が後方に向かって傾斜して立設されていて、
上記座部フレームの後端側の幅方向の両端部には、上記座部フレームを前進方向に移動させたときに上記支持体の上記座部体が連結された上端部を上記座部フレームの内部から外部に突出させるスリットが形成されていることが好ましい。
【発明の効果】
【００１５】
この発明によれば、内部にマッサージユニットが設けられた座部フレームの上面に座部体を設け、この座部体を背部体側に回動させて座部フレームと背部体との間に入り込ませることができるようにした。
【００１６】
そのため、ソファーとして利用するときには座部体によってソファーとしての性能を維持することができるばかりか、外観的に通常のソファーとほとんど変わることがなく、しかもマッサージユニットを利用するときには座部フレームの上面から除去した座部体を、背部体と座部フレームとの間に格納できるから、座部体の置き場所を確保する手間が掛かるようなことがない。
【発明を実施するための最良の形態】
【００１７】
以下、図面を参照しながらこの発明の実施の形態を説明する。
【００１８】
図１はソファー１の状態の斜視図を示し、図４はマッサージユニット２を利用するときのソファー１の斜視図を示す。図２と図３はソファー１の状態からマッサージユニット２を利用する状態に上記ソファー１を変換する過程を順次示す斜視図である。図５はマッサージユニット２を内部から除去したソファー１を示している。
【００１９】
図５に示すように上記ソファー１はベース３を備えている。このベース３は、上記ソファー１の幅方向両端部に位置する角パイプからなる一対の脚部材４を有する。図７乃至図８に示すように、一対の脚部材４の前後方向の両端部は連結部材５によって連結されている。
【００２０】
上記ベース３の前後方向の後端部には背部体６が立設されている。この背部体６の前面側には上記脚部材４の前後方向に沿って移動可能に座部フレーム７が設けられている。この座部フレーム７は上下面が開放した矩形箱型状に形成されていて、幅方向の両端部には上記一対の脚部材４と対応する間隔で一対の取付け部材８が前後方向に沿って設けられている。
【００２１】
図１２に示すように、一対の取付け部材８の下面には、それぞれ下端に車輪９を有する一対の車輪軸１１が垂設されている。上記車輪軸１１は上記脚部材４の上面に上記ソファー１の前後方向に沿って形成された長孔１２に挿入されている。
【００２２】
それによって、上記車輪軸１１の下端に設けられた車輪９は上記脚部材４の内面を転動するようになっている。すなわち、上記座部フレーム７は上記車輪軸１１が上記長孔１２を移動する範囲内で上記ベース３の前後方向に沿って移動可能となっている。
【００２３】
図６乃至図８に示すように上記一対の脚部材４の長手方向の中途部の外面には角パイプをＬ字状に曲成した支持体１３の一端が固着されている。この支持体１３のほぼ垂直になった他端部は上記座部フレーム７内の幅方向両端部に延出されている。この支持体１３の上端部にはアーム１４の一端部が固着されている。このアーム１４は図９に示すように上端部を上記ベース３の後方に傾斜させている。なお、アーム１４は支持体１３と別体ではなく、一体であっても差し支えない。
【００２４】
上記座部フレーム７の上面には座部体１６が水平な状態で載置されている。この座部体１６の幅方向両端部には肘掛け１７が設けられている。一対の肘掛け１７の内面間の寸法は上記背部体６の幅方向の寸法よりもわずかに大きく設定されている。
【００２５】
図５乃至図８に示すように、上記座部体１６の下面の幅方向両端部であって、前後方向の中途部には連結片１８が突設されている。一対の連結片１８には上記アーム１４の先端部が回動可能に連結されている。
【００２６】
上記座部フレーム７を図９に示す後退位置から、図１０に示すように上記ベース３に沿って前方へ移動させると、上記座部フレーム７の後端外面と上記背部体６の前面との間に空間部１９が形成される。
【００２７】
そして、座部フレーム７を上記車輪軸１１が長孔１２の前端に当たる前進限まで移動させると、上記支持体１３の上端に傾斜して連結固定された上記アーム７の上端部が上記座部フレーム７の後側の幅方向両端に形成されたスリット２１（図４乃至図６に示す）から外部に突出する。このとき、座部フレーム７の上面に載置された座部体１６の後端部は、図２と図１０に示すように座部フレーム７の上面から後方に相対的に突出して上記空間部１９の上方に位置することになる。
【００２８】
それによって、上記座部体１６は図４と図１１（ａ）に示すように上記アーム１４と連結片１８との連結部を支点として後端部が下方になるよう回動させることができる。座部体１６を回動させると、その下端部（後端部）が上記座部フレーム７の後端面と背部体６の前端面との間の上記空間部１９内に入り込んでほぼ垂直な状態で起立する。
【００２９】
座部体１６を起立させれば、それまで閉塞されていた上記座部フレーム７の上面開口が開放されることになる。なお、座部体１６を起立させると、その一対の肘掛け１７の間に上記背部体６が入り込む。そのため、上記座部体１６を起立させたとき、上記肘掛け１７と上記座部体１６が前後方向に重なって全体の前後方向の寸法が大きくなるのを防止することができる。
【００３０】
図６乃至図8に示すように、上記座部フレーム７の内部には受け枠２６が複数のフック２７によって水平な状態で着脱可能に支持されている。この受け枠２６には上記マッサージユニット２が保持されている。このマッサージユニット２は、上記座部フレーム７の幅方向一端から順次設けられた第１の起伏部２８、第２の起伏部２９及び第３の起伏部３０からなる。
【００３１】
なお、座部フレーム７の前後方向両側の内面には図６や図９に示すように受け桟３４が幅方向に沿って設けられている。この受け桟３４には図示しない床板を架設することができる。そして、上記受け枠に代わって上記床板上に上記マッサージユニット２を載置するようにしてもよい。
【００３２】
図６と図１３に示すように、上記第１の起伏部２８はパイプ材を矩形枠状に形成したパイプフレーム３１を有する。このパイプフレーム３１には、上記座部フレーム７の幅方向中央部側に位置する一端に、回転軸３２が帯板状の連結部材３３によって取付け固定されている。
【００３３】
上記回転軸３２の両端部は上記受け枠２６の幅方向中途部内面に設けられた一対の受け具３６に回転可能に支持されている。この回転軸３２の軸方向中途部には、図７と図８に示すように第１のアーム３８の一端が固着されている。この第１のアーム３８の他端部には第２のアーム３９の一端が連結固定されている。
【００３４】
上記第１のアーム３８の他端は、駆動手段としてのガススプリング４１のシリンダ４２の後端に枢着されている。シリンダ４２には先端面からガス圧によって突出方向に付勢された駆動軸４３が設けられている。この駆動軸４３の先端は上記受け枠２６の長手方向中途部に前後方向に沿って架設された桟部材４４にブラケット４５を介して回動可能に連結されている。
【００３５】
上記ブラケット４５にはレバー４６が回動可能に設けられている。レバー４６の中途部は上記ガススプリング４１の駆動軸４３の先端から突出した図示しない作動子に対向している。上記レバー４６の他端には操作ワイヤ４９の一端が連結されている。
【００３６】
上記座部フレーム７の幅方向の中途部で、前後方向の前端部の下面には上記操作ワイヤ４９を押し引き操作するための図示しない操作ハンドルが設けられている。この操作ハンドルを操作して上記操作ワイヤ４９を引くと、上記レバー４６によって上記ガススプリング４１の作動子が押圧される。
【００３７】
それによって、ガススプリング４１の駆動軸４３がガス圧によって突出方向に作動するから、その作動にともなって第１のアーム３８と第２のアーム３９とが図８に矢印Ａで示す時計方向に回動する。
【００３８】
上記第１、第２のアーム３８、３９が回動すると、その回動に回転軸３２が連動するから、この回転軸３２とともに第１の起伏部２８が回転軸３２を支点として他端が上昇する方向に回動する。つまり、第１の起伏部２８は座部フレーム７の幅方向に沿って起伏可能となっている。  
なお、起上した第１の起伏部２８を倒伏させるには、操作ワイヤ４９引いた状態でガス圧に抗して上記第１の起伏部２８を倒伏方向へ押圧すればよい。
【００３９】
上記第１の起伏部２８を起伏駆動する駆動源としてはガススプリング４１に代わり、図示しない電動モータであってもよい。つまり、電動モータによって駆動軸を進退駆動させることで、この駆動軸の進退駆動によって上記第１のアーム３８を回動させるようにすればよい。
【００４０】
図６に示すように、上記第２の起伏部２９は枠体５７からなり、この枠体５７の上記第１の起伏部２８側に位置する一端部の両端には支軸５８が設けられている。一対の支軸５８は上記受け枠２６の内面に設けられた一対の受け具５９に回動可能に支持されている。それによって、第２の起伏部２９は一端に設けられた支軸５８を支点として他端が上昇する方向に回動できるようになっている。
【００４１】
上記座部フレーム７の幅方向他端部には上記第３の起伏部３０が設けられている。この第３の起伏部３０は、一端が上記第２の起伏部２９の他端に枢着された枠体６１を有し、この枠体６１の他端の幅方向両端にはそれぞれローラ６２が回転可能に取り付けられている。一対のロ−ラ６２は上記受け枠２６の幅方向端部内面に設けられたチャンネル状の受け部６３に沿って転動可能となっている。
【００４２】
なお、上記第２の起伏部２９と第３の起伏部３０との枠体５７、６１にはそれぞれ座部フレーム７の前後方向に沿う複数のベルト６４が幅方向に所定間隔で架設されている。
【００４３】
図７と図８に示すように、上記第２の起伏部２９と第３の起伏部３０との連結部分の下面に対応する部位には、への字状をなした回動アーム６５の中途部が上記桟部材４４に固着された取付け金具６６に枢着されている。
【００４４】
上記回動アーム６５の上記第２の起伏部２９の下面側に対向位置する一端には押上げローラ６７が回転可能に取付けられている。上記回動アーム６５の他端には連動レバー６８の一端が枢着されている。この連動レバー６８の他端は上記第１のアーム３８の他端に枢着されている。
【００４５】
上記ガススプリング４１を作動させて上記第１の起伏部２８を起上方向に回動させると、上記第１のアーム３８の回動に上記連動レバー６８が連動して図８に矢印Ｂで示す方向へ移動する。すると、回動アーム６５は中途部を支点として押上げローラ６７が設けられた他端が上昇する方向に回動するから、上記押上げローラ６７は第２の起伏部２９の枠体５７の下面を押圧する。それによって、第２の起伏部２９は一端に設けられた支軸５８を支点として他端が上昇する方向に起上する。
【００４６】
第２の起伏部２９の他端が上昇すると、この他端に一端が枢着された第３の起伏部３０が一端を上昇させる方向に起上する。このとき、第３の起伏部３０の他端は、その端部に設けられたローラ６２が受け部６３上を転動する。それによって、マッサージユニット２は、第１の起伏部２８が垂直よりもやや小さな角度、たとえば７５〜８０度に起立し、第２の起伏部２９と第３の起伏部３０とはほぼ山型状に屈曲する。
【００４７】
なお、第１の起伏部２８は、図８に示す角度が最大起上角度であって、起上時に最大起上角度になる前に操作ハンドルによるガススプリング４１の操作を停止すれば、そのときの角度で保持できるようになっている。
【００４８】
上記第１の起伏部２８にはローラユニット７０が設けられている。つまり、図１３に示すように第１の起伏部２８のパイプフレーム３１が取付けられた基板７０ａを有し、この基板７０ａの起伏方向と交差する方向には、一対の横桟７１が座部フレーム７の前後方向に所定間隔で離間して設けられている。一対の横桟７１の互いに対向する側面にはラック７２が設けられている。このラック７２には図１４に示すようにローラユニット７０の幅方向両側に設けられたそれぞれ一対のピニオン７４が噛合する。
【００４９】
上記ローラユニット７０にはナット体７５が設けられている。このナット体７５には駆動ねじ軸７６が螺合している。この駆動ねじ軸７６は座部フレーム７の幅方向に沿って設けられ、先端部は図１３に示すように第１の駆動モータ７７に動力伝達機構７８を介して連結されている。
【００５０】
それによって、第１の駆動モータ５７が作動すると、上記動力伝達機構５８を介して上記駆動ねじ軸７６が回転駆動されるようになっている。第１の駆動モータ７７によって駆動ねじ軸７６が回転されると、その回転方向に応じて上記ローラユニット７０が座部フレーム７の幅方向に沿って往復駆動される。
【００５１】
図１４に示すように、上記マッサージユニット７０の一側にはアクチュエータ７９が一方のピニオン７４側に突出して設けられている。一方のラック７２の長手方向一端部と他端部とにはそれぞれ上記ローラユニット７０の移動距離を設定する一対のリミットスイッチ（図示せず）が設けられている。
【００５２】
上記アクチュエータ７９がどちらか一方のリミットスイッチを作動させることで、上記駆動モータ７７の回転方向が変換され、上記ローラユニット７０の走行方向が切り替わるようになっている。つまり、ローラユニット７０は第１の起伏部２８上で座部フレーム７の幅方向に沿って往復駆動されるようになっている。
【００５３】
上記マッサージユニッ７０にはメカボックス８２が設けられている。このメカボックス８２内には半回転クラッチ８３が設けられている。この半回転クラッチ８３は第１の取付け軸８４と第２の取付け軸８５との一端部を連結している。各取付け軸８４，８５は軸線をローラユニット７０の走行方向と直交させて配置され、それぞれの他端部は軸受８１によって回転可能に支持されている。
【００５４】
上記ローラユニット７０は第２の駆動モータ８６を有する。この第２の駆動モータ８６の回転軸８６ａは上記メカボックス８２内に突出し、その突出端にはウオーム８６ｂが設けられ、このウオーム８６ｂは上記第１の取付け軸８４に設けられたウオームホイール８６ｃに噛合している。
【００５５】
それによって、半回転クラッチ８３によって連結された第１の取付け軸８４と第２の取付け軸８５とは、上記第２の駆動モータ８６によって回転駆動されるようになっている。
【００５６】
上記第１の取付け軸８４と第２の取付け軸８５との上記メカボックス８２から突出した他端部には、図１５に示すようにそれぞれ回転盤８７が設けられている。各回転盤８７は各取付け軸８４，８５に対して偏心し、かつ所定の角度で傾斜して取付けられている。各回転盤８７には取付け板８８がこの回転盤８７に対して相対的に回転可能に設けられている。つまり、一対の取付け板８８は図１４に示すようにほぼＶ字状に傾斜していて、その中心部に上記回転盤８７に回転可能に外嵌する取付け孔８９（図１５に示す）が形成されている。
【００５７】
上記回転盤８７の一側面と他側面とには上記取付け孔８９よりも大径な押え部材９１が一体的に設けられている。一対の押え部材９１の周辺部は上記取付け板８８の両側面を挟持している。それによって、上記回転盤８７は上記取付け孔８９から外れないよう保持されている。
【００５８】
図１４に示すように、各取付け板８８の一端部と他端部とにはそれぞれマッサージローラ９２が回転可能に取付けられている。一対の取付け板８８の傾斜方向が逆向きの状態（Ｖ字状）で、第１、第２の取付け軸８４，８５を第２の駆動モータ８６によって回転させると、一対の取付け板８８は回転盤８７によって矢印で示すように一端部と他端部とが接離する方向に揺動駆動される。
【００５９】
それによって、上記取付け板８８の一端部と他端部とに設けられたそれぞれ一対のマッサージローラ９２は図８に示すように所定の角度で起上した第１の起伏部８の前面に寄り掛った利用者の背面に対して揉み動作を行なう。
【００６０】
第２の駆動モータ８６の回転軸８６ａを、揉み動作のときと逆方向に回転させると、第１の取付け軸８４だけが１８０度回転した後、半回転クラッチ８３によって第２の取付け軸８５が連動する。
【００６１】
それによって、第１の取付け軸８４に取付けられた取付け板８８と第２の取付け軸８５に取付けられた取付け板８８とが同方向に傾斜した状態で回転盤８７の偏心回転に応じて変位するから、各取付け板８８に設けられたマッサージローラ９２によって叩き動作が行なわれることになる。  
なお、図示しないが、ローラユニット７０が設けられた第１の起伏部２８は、少なくとも上面が十分な弛みを持った状態の布地によって覆われている。上記ローラユニット７０は図３に示すリモートコントローラ９３によって操作できるようになっている。このモートコントローラ９３は上記座部体１６の下面に着脱可能に保持されている。
【００６２】
上記第１の起伏部２８の起伏駆動をガススプリング４１に代わって電動モータで行なうようにした場合、この電動モータの操作を上記リモートコントローラ９３によって行なうようにすることが可能である。
【００６３】
図１３に示すように、上記第１の起伏部２８のパイプフレーム３１の上面には第１の下部クッション体９５がマッサージローラ９２の走行範囲を除く部分に設けられている。上記第２の起伏部２９と第３の起伏部３０との枠体５７、６１の上面には第２の下部クッション体９６が設けられている。
【００６４】
上記構成のソファー１によれば、図１に示す状態から、座部フレーム７内に収容されたマッサージユニット２を利用する場合、まず、図２に示すように座部フレーム７を前進限まで前方へ移動させる。それによって、図１０に示すように、ベース３上には座部フレーム７の後端面と、背部体６の前端面との間に空間部１９が形成される。
【００６５】
ついで、図３と図１１（ａ），（ｂ）に示すように、座部フレーム７の上面に載置された座部体１６を、この座部体１６の下面に設けられた連結片１８と、支持体１３のアーム１４との連結部を支点として後方へ回動させ、前後方向の後端部を上記空間部１９に入り込ませてほぼ垂直に起立させる。それによって、座部フレーム７の上面が開放して内部に収納保持されたマッサージユニット２が露出することになる。
【００６６】
このとき、上記支持体１３に設けられ上記座部体１６の下面の連結片１８が連結されたアーム１４の上端部は上記座部フレーム７の後端の幅方向両端に形成されたスリット２１から座部フレーム７の外部に突出しているから、上記座部体１６を後端部が空間部１９内に入り込むようほぼ垂直に起立するよう回動させることができる。
【００６７】
上記座部体１６を垂直に起立させると、その一対の肘掛け１７の間に上記背部体６が入り込む。そのため、座部体１６の上面と背部体６の前面とを十分に接近させることができるから、座部体１６を起立させたときのソファー１全体の前後方向の寸法が肘掛け１７によって大きくなるのを防止することができる。
【００６８】
このようにして、座部フレーム７の上面を開放したならば、操作ワイヤ４９を引いて図４に示すようにマッサージユニット２の第１の起伏部２８を所定の角度で起上させる。ついで、利用者はマッサージユニット２上に着座して第１の起伏部２８に寄り掛かり、リモートコントローラ９３を操作してローラユニット７０を作動させる。それによって、ローラユニット７０は第１の起伏部２８の長手方向に沿って往復駆動されるから、利用者は上半身の背面がマッサージされることになる。
【００６９】
マッサージユニット２を使用し終わったならば、先程とは逆に、第１の起伏部２８を水平に倒伏させてから、座部体１６を垂直な状態から水平な状態に回動させたのち、座部フレーム７を後退方向へ移動させて座部体１６によって座部フレーム７の上面開口を閉塞すれば、図１に示すようにソファー１として利用することができる。
【００７０】
このように、上記構成のソファー１によれば、ソファー１として利用している状態からマッサージユニット２を利用する場合には、座部フレーム７を前方に移動させてから、座部体１６を水平な状態から垂直になるよう後方へ回動させ、その後端部を座部フレーム７と背部体６との間の空間部１９に入り込ませればよい。
【００７１】
そのため、マッサージユニット２を利用する際の変換操作を容易に、しかも迅速に行なうことができるばかりか、座部フレーム７の上面から除去された座部体１６は起立させた状態で座部フレーム７と背部体７との間に収納することができるから、その座部体１６が邪魔になることもない。
【００７２】
ソファー１として利用する場合、座部フレーム７の上面に座部体１６が載置された構成である。そのため、座部フレーム７内に収容されたマッサージユニット２は外部に全く露出しないから、外観的には通常のソファーとほとんど変わることがなく、意匠的に良好である。
【００７３】
なお、上記一実施の形態ではマッサージユニットとしてマッサージローラがソファーの幅方向に沿って往復駆動されるものを挙げたが、マッサージローラが往復駆動されるタイプに変えてバイブレータによって利用者をマッサージするタイプのマッサージユニットを設けるようにしてもよい。
【図面の簡単な説明】
【００７４】
【図１】この発明の一実施の形態を示すソファーの斜視図。
【図２】図１の状態から座部フレームを前方へ移動させた状態の斜視図。
【図３】図２の状態から座部体を後方へ回動させてその後端部を座部フレームと背部体との間に差し込んだ状態の斜視図。
【図４】座部フレーム内に収容されたマッサージユニットを利用する状態の斜視図。
【図５】マッサージユニットを除去して座部フレームの内部を示した斜視図。
【図６】座部フレームを断面してその内部に収容されたマッサージユニットの構造を示す横断面図。
【図７】座部フレームを断面してその内部に収容されたマッサージユニットの構造を示す縦断面図。
【図８】図７においてマッサージユニットの第１の起伏部を起上させた断面図。
【図９】座部フレームが後退位置にある状態を説明するための側面図。
【図１０】座部フレームが前進位置にある状態を説明するための側面図。
【図１１】（ａ）は座部体を起立させた状態を説明するための側面図、（ｂ）は同じく平面図。
【図１２】脚部材と車輪が設けられた座部フレームの取付け部材を示す斜視図。
【図１３】第１の起伏部を示す平面図。
【図１４】第１の起伏部に設けられるローラユニットの平面図。
【図１５】ローラユニットの取付け軸と回転盤の取付け構造を示す断面図。
【符号の説明】
【００７５】
１…ソファー、２…マッサージユニット、３…ベース、６…背部体、７…座部フレーム、１３…支持体、１４…アーム、１６…座部体、１７…肘掛け、１４…アーム、２１…スリット、２８…第１の起伏部、２９…第２の起伏部、３０…第３の起伏部、７０…ローラユニット、８２…マッサージローラ。
【図１】
2008104731.tif 000003
【図２】
2008104731.tif 000004
【図３】
2008104731.tif 000005
【図４】
2008104731.tif 000006
【図５】
2008104731.tif 000007
【図６】
2008104731.tif 000008
【図７】
2008104731.tif 000009
【図８】
2008104731.tif 000010
【図９】
2008104731.tif 000011
【図１０】
2008104731.tif 000012
【図１１】
2008104731.tif 000013
【図１２】
2008104731.tif 000014
【図１３】
2008104731.tif 000015
【図１４】
2008104731.tif 000016
【図１５】
2008104731.tif 000017